(57)【要約】【課題】簡易な構造で警報音信号に歪みを生じさせることなく、インターホン親機からは大音量の警報音を送出することなく、ドアホン子器より大音量の警報音が出力できるインターホンシステムを提供する。【解決手段】インターホン親機２は、表示駆動信号に音声信号利得切換信号を含ませて送出するための表示駆動信号送出手段２４を備え、かつ、ドアホン子器１は、インターホン親機２から送出されて来る音声信号利得切換信号を検出して、スピーカアンプＡ２の利得を増大させる音声信号利得切換手段１５を備える。【選択図】図１
2006237885.tif 000002
【特許請求の範囲】
【請求項１】
異常監視機能を備えたインターホン親機と、スピーカとスピーカアンプと警報表示灯とを有し、上記インターホン親機から駆動電源の供給を受けて作動するドアホン子器とを、信号線と表示駆動信号線とを介して接続し、上記インターホン親機が異常を検知したときには、上記ドアホン子器には上記信号線を通じて警報音信号を送出するとともに、上記表示駆動信号線を通じて表示駆動信号を送出して、ドアホン子器の警報表示灯を点灯駆動させる構成としたインターホンシステムにおいて、
上記インターホン親機は、上記表示駆動信号に音声信号利得切換信号を含ませて送出するための表示駆動信号送出手段を備え、かつ
上記ドアホン子器は、上記インターホン親機から送出されて来る音声信号利得切換信号を検出して、上記スピーカアンプの利得を増大させる音声信号利得切換手段を備えているインターホンシステム。
【請求項２】
請求項１において、
上記表示駆動信号送出手段は、上記表示駆動信号の電圧レベルを変化させることで上記音声信号利得切換信号を生成しており、
上記音声信号利得切換手段は、上記表示駆動信号の電圧レベルを判別して、上記スピーカアンプの利得を増大させる構成にしているインターホンシステム。
【請求項３】
請求項１において、
上記表示駆動信号送出手段は、上記表示駆動信号の周波数を変化させることで音声信号利得切換信号を生成しており、
上記音声信号利得切換手段は、上記表示駆動信号の周波数を判別して、上記スピーカアンプの利得を増大させる構成にしているインターホンシステム。
【請求項４】
請求項１〜３のいずれかにおいて、
上記ドアホン子器はテレビカメラを更に備えており、上記音声信号利得切換手段は、上記音声信号利得切換信号を検出したときには、上記テレビカメラの電源供給を停止する構成としているインターホンシステム。
【発明の詳細な説明】
【技術分野】
【０００１】
本発明は、インターホン親機とドアホン子器とを、表示駆動信号線と信号線とを介して接続して構成したインターホンシステムの改良に関する。
【背景技術】
【０００２】
この種のインターホンシステムは、集合住宅などで使用されており、既に公知である。
【０００３】
図８は、下記特許文献１に示すインターホンシステムの基本構成を示している。
各住戸の玄関先に設置されたドアホン子器１００と、住戸内に設置されたインターホン親機２００とは、２線式の信号線Ｃ１と２線式の表示駆動信号線Ｃ２とで接続されており、ドアホン子器１００の呼出釦（不図示）を操作して、住戸を呼び出せば、親機２００側で呼出音を鳴動させて、住戸人が応答すれば、玄関先の客と住戸人との間で所定時間の通話が出来るようになっている。
【０００４】
ここに、ドアホン子器１００は、通話回路部１１０、電源回路部１１１、多重分離回路部１１２、警報表示灯１１３、警報表示灯駆動回路部１１４を備え、通話のための通話回路部１１０には、マイクＭＩＣを通じて入力された音声信号を増幅するマイクアンプＡ１、通話回路部１１０を通じて出力される音声信号を増幅し、スピーカＳＰに出力するスピーカアンプＡ２を備えている。
【０００５】
また、一方のインターホン親機２００は、通話のための通話回路部２１０、電源回路部２１１、多重分離回路部２１２、親機２００で異常を検知した場合に、ドアホン子器１００に警報を出力するための警報音信号送出回路部２１３、ドアホン子器１００の警報表示灯１１３を表示駆動させるための表示駆動信号送出回路部２１４、火災感知器、防犯センサなどのセキュリティーセンサ（不図示）が接続される異常事象発生感知部２１５とを備え、通話回路部２１０には、マイクＭＩＣを通じて入力された音声信号を増幅するマイクアンプＡ１、通話回路部２１０を通じて出力された音声信号を増幅し、スピーカＳＰに出力するスピーカアンプＡ２を備える。
【０００６】
また、ドアホン子器１００とインターホン親機２００とを接続している２線式の信号線Ｃ１は、通話のための音声信号、システムの制御信号、ドアホン子器１００への駆動電源が多重化されて伝送され、ドアホン子器１００の多重分離回路部１１２、あるいは、インターホン親機２００の多重分離回路部２１２で、これらの信号が多重化され、あるいは分離されている。
そして、このようなシステムでは、親機２００では、セキュリティーセンサの異常を検知すると、信号線Ｃ１を通じて警報音信号を出力するとともに、表示駆動信号線Ｃ２を通じて表示駆動信号が送出され、その結果、ドアホン子器１００は、戸外に向けて警報音を出力するとともに、警報表示灯１１３を表示して、報知を行うことが出来る。
【特許文献１】特許３４１４０３６号公報
【発明の開示】
【発明が解決しようとする課題】
【０００７】
ところで、このようなシステムにおいて、ドアホン子器より警報音を出力して戸外の人に異常を知らせる場合には、騒音を考慮すると、警報音の音量を大きくする必要がある。
しかしながら、インターホン親機からドアホン子器に送出する警報音の信号レベルを単に大きくした場合には、信号線に多重されインターホン親機からドアホン子器へ供給される給電電圧の上限値の制限があるのでその影響を受け、警報音の波形に歪みを生じるおそれがあるという第１の問題点と、ドアホン子器内で警報音信号を増幅するスピーカアンプへの入力が過大となって、スピーカアンプの出力がクリップされ、警報音が歪んでしまうという第２の問題点があった。
【０００８】
本発明はこのような問題を解決するために提案され、警報音に歪みを生じさせることなく、簡易な構造で大音量の警報音をドアホン子器より出力させることのできるインターホンシステムを提供することを主たる目的とする。
【課題を解決するための手段】
【０００９】
上記目的を達成するため、本発明の請求項１では、異常監視機能を備えたインターホン親機と、スピーカとスピーカアンプと警報表示灯とを有し、上記インターホン親機から駆動電源の供給を受けて作動するドアホン子器とを、信号線と表示駆動信号線とを介して接続し、上記インターホン親機が異常を検知したときには、上記ドアホン子器には上記信号線を通じて警報音信号を送出するとともに、上記表示駆動信号線を通じて表示駆動信号を送出して、ドアホン子器の警報表示灯を点灯駆動させる構成としたインターホンシステムにおいて、上記インターホン親機は、上記表示駆動信号に音声信号利得切換信号を含ませて送出するための表示駆動信号送出手段を備え、かつ、上記ドアホン子器は、上記インターホン親機から送出されて来る音声信号利得切換信号を検出して、上記スピーカアンプの利得を増大させる音声信号利得切換手段を備えている。
【００１０】
請求項２では、上記表示駆動信号送出手段は、表示駆動信号の電圧レベルを変化させることで上記音声信号利得切換信号を生成しており、上記音声信号利得切換手段は、上記表示駆動信号の電圧レベルを判別して、上記スピーカアンプの利得を増大させる構成にしている。
【００１１】
請求項３では、上記表示駆動信号送出手段は、表示駆動信号の周波数を変化させることで音声信号利得切換信号を生成しており、上記音声信号利得切換手段は、上記表示駆動信号の周波数を判別して、上記スピーカアンプの利得を増大させる構成にしている。
【００１２】
請求項４では、上記ドアホン子器はテレビカメラを更に備えており、上記音声信号利得切換手段は、上記音声信号利得切換信号を検出したときには、上記テレビカメラの電源供給を停止する構成としている。
【発明の効果】
【００１３】
請求項１によれば、ドアホン子器に内蔵されているスピーカアンプの利得を大きくするので、信号レベルを大きくした警報音信号をドアホン子器側に伝送する必要がないため、親機からドアホン子器への給電電圧の上限値の制限の影響で警報音信号がひずむことはなく、また、ドアホン子器側でも、スピーカを駆動するアンプの入力が過大になることはないので、玄関先から戸外に出力される警報音のレベルを大きくしても、歪ませることがない。
【００１４】
請求項２、３によれば、表示駆動信号の電圧レベルもしくは周波数レベルを変化させることで、表示駆動信号に音声信号利得切換信号を重畳させているので、制御信号の生成が容易であり、インターホン親機や、ドアホン子器の回路構成も簡易化できる。
【００１５】
請求項４によれば、スピーカアンプの利得を大きくしている間は、内蔵されるテレビカメラの駆動を停止させるので、カメラ駆動電源をスピーカアンプに回すことができる。
そのため、スピーカアンプの電源不足も発生せず、大音量の警報音を安定して出力することが出来る。
【発明を実施するための最良の形態】
【００１６】
以下に、本発明の実施の形態について説明する。
【実施例１】
【００１７】
図１は、本発明システムの基本構成の一例を示すブロック図である。このシステムでは、ドアホン子器１と、インターホン親機２とを、それぞれ、２線式の信号線Ｃ１と２線式の表示駆動信号線Ｃ２とで接続し、ドアホン子器１は、親機２との通話のための通話回路部１０、電源回路部１１、多重分離回路部１２、住戸内で異常が発生したときに戸外に警報を報知する警報表示灯１３、警報表示灯駆動回路部１４、音声信号利得切換手段１５を備えている。インターホンシステムとしての基本動作については、従来の技術で説明したインターホンシステムと同様であるため、以下では説明を省略する。
【００１８】
音声信号利得切換手段１５は、利得切換信号検出回路部１５ａと利得切換回路部１５ｂとを備え、利得切換信号検出回路部１５ａは、表示駆動信号線Ｃ２を通じて親機２から送出されてくる表示駆動信号から音声信号利得切換信号を検出するようになっている。
【００１９】
また、通話回路部１０には、マイクＭＩＣを通じて入力された音声信号を増幅するマイクアンプＡ１、通話回路部１０を通じて出力された音声信号を増幅しスピーカＳＰに出力するゲイン可変型のスピーカアンプＡ２を備えており、利得切換回路部１５ｂは、利得切換信号検出回路部１５ａが利得切換信号を検出したときには、スピーカアンプＡ２の利得を増大させることが出来、そのため、スピーカアンプＡ２の利得は可変できる構成になっている。
【００２０】
一方のインターホン親機２は、火災センサ、防犯センサ、ガス漏れセンサ、非常用押釦などの各種セキュリティーセンサＳを接続した異常事象発生感知部２５、通話回路部２０、電源回路部２１、多重分離回路部２２、異常事象発生感知部２５が異常を検知したときに警報音信号を出力する警報音信号送出回路部２３、表示駆動信号送出手段２４を備え、通話回路部２０には、マイクＭＩＣを通じて入力された音声信号を増幅するマイクアンプＡ１、通話回路部２０を通じて出力された音声信号を増幅しスピーカＳＰに出力するスピーカアンプＡ２を備えている。
【００２１】
ここに、表示駆動信号送出手段２４は、表示駆動信号に音声信号利得切換信号を含ませてドアホン子器１に送出する構成となってり、この態様については後述する。
【００２２】
図２のステップ１００〜１１２は、本発明システムの基本動作を示すフローチャートである。
【００２３】
住戸内で異常が発生し（１００）、親機２が異常を検出すると、親機２では、表示駆動信号送出手段２４から警報音信号と表示駆動信号とが表示駆動信号線Ｃ２を通じてドアホン子器１に送出されるが（１０１，１０２）、本発明では、このとき生成される表示駆動信号に音声信号利得切換信号を含ませて送出する構成にしている。
【００２４】
ドアホン子器１では、警報音信号を受け警報音が出力され（１０５）、同時に、警報表示灯駆動回路部１４が表示駆動信号を受けているので、、警報表示灯１３が警報表示され（１０６）、同時に音声信号利得切換手段１５では音声信号利得切換信号が検出され（１０３）、スピーカアンプＡ２の利得が増大される（１０４）。なお、表示駆動信号に音声信号利得切換信号が含まれていなければ、警報表示灯駆動回路部１４のみが警報表示灯１３を警報表示する（１０６）。
【００２５】
ここで、警報表示灯１３の警報表示態様は、点灯のみではなく、点滅する態様も含まれる。
【００２６】
本発明では、このようにして、ドアホン子器１は、警報表示灯１３を警報表示する際に、音声信号利得切換手段１５によってスピーカアンプＡ２の利得を増大させているので、スピーカＳＰから戸外に向けて大音量の警報音を出力するが、親機２が警報音停止指令を受け付けると、警報音信号の送出は停止される（１０７）。また、表示駆動信号に音声信号利得切換信号を含ませるのを中止する（１０８）。
【００２７】
その結果、ドアホン子器１では、音声信号利得切換手段１５は音声信号利得切換信号を検出しなくなるために（１０９）、音声信号利得切換手段１５はスピーカアンプＡ２の利得を元の状態に復帰させる（１１１）。また、警報音信号が入力されないために警報音出力を停止する（１１２）。
しかし、その時点では、親機２からの表示駆動信号自体は入力されているため、警報表示は続けるが（１１０）、親機２が警報復旧操作を受け付けると、表示駆動信号自体の入力も検出しなくなるため、警報表示灯１３による警報表示も停止して、システムは監視状態、通話待機状態に戻る。
【００２８】
ここに示すシステムの動作は、一例であって、それ以外の基本動作の実施を妨げるものではない。
例えば、警報音停止と、警報表示を停止させる動作を区別せずに、親機２で復旧操作を受け付けたときに、警報音、警報表示を同時に停止し、終了させるようにしてもよい。
【００２９】
図３，４は、本発明システムで採用されている、表示駆動信号に含ませて音声信号利得切換信号を送出する例を示している。図３では、音声信号利得切換信号は、表示駆動信号の電圧レベルをＶｂからＶａへと大きく変化させることで生成しており、図４では、表示駆動信号の周波数を、ＦｂからＦａへと高く変化させることで生成している。
図３のような例、図４のような例では、警報音の出力音量を増大させたときに、同時に警報表示灯１３の発光輝度を大きくしたり、点滅周期を短く変化させることが出来るので、視覚による異常の判別もより明確になるという利点がある。
【００３０】
図５、図６は、本発明システムの更に詳細な構成を示している。
【００３１】
図５は、図３に示す方法を適用した本発明システムの基本構成例を示すブロック図である。このシステムでは、図１の基本構成に対して、音声信号利得切換手段１５には、信号波高値検出回路部１５ａと、利得切換回路部１５ｂと、カメラ駆動回路部１５ｃを設けている。また、このものはテレビインターホンシステムを構成するため、ドアホン子器１には、カメラ３０、映像信号処理部１７を別途設けている。カメラ３０はドアホン子器１から信号線Ｃ１を通じて給電されてくる駆動電源で駆動するようにしており、カメラ駆動回路部１５ｃの制御により開閉されるスイッチング回路３１を備える。また、インターホン親機２にもテレビインターホンを構成するため、映像信号処理部２６、ＣＲＴや液晶モニタで構成された表示部２７を備える。
【００３２】
このような構成によれば、信号波高値検出回路部１５ａにより、電圧レベルの相違によって表示駆動信号を検出すると、利得切換回路部１５ｂを制御して、ドアホン子器１のスピーカアンプＡ２の利得を大きくする。これとともに、カメラ駆動回路部１５ｃに対して音声信号利得切換信号を受け付けた旨を通知し、スイッチング回路３１を開制御させ、カメラ３０の駆動を停止させる。
【００３３】
信号波高値検出回路部１５ａは、たとえば、コンパレータ、マイコンで構成できる。コンパレータで構成すれば簡易に信号波高値検出回路部１５ａを構成でき、マイコンで構成すれば、既存のマイコンに空きポートがあれば実行ソフトウェアの変更のみで信号波高値検出回路部１５ａを構成できる。
【００３４】
図７は、信号線Ｃ１上を伝送される多重信号の信号フォーマットを示している。この例では、映像信号の伝送を行なうテレビインターホンシステムを想定しているので警報音信号が１００〜１０ＫＨｚ、映像信号が１Ｍ〜１０ＭＨｚ、ドアホン子器１より警報音出力させるなど、システムに使用される各種の制御信号がこれらを越える周波数に割り当ててて多重化され、伝送されるようになっている。なお、システムに使用される各種の制御信号の周波数帯は、図示したものに限定されず、映像信号、音声信号とは重複しない周波数帯であれば、どの帯域を使用してもよい。
【００３５】
図６は、図４に示す方法を適用した本発明システムの基本構成の更に他例を示すブロック図である。このシステムでは、図１の基本構成に対して、音声信号利得切換手段１５には、信号周期検出回路部１５ａと、利得切換回路部１５ｂと、カメラ駆動回路部１５ｃとを設けている。また、テレビインターホンシステムを構成するため、カメラ３０、映像信号処理部１７を別途設けている。
【００３６】
ここに、カメラ３０はドアホン子器１からの駆動電源で駆動するようにしており、カメラ駆動回路部１５ｃの制御により開閉されるスイッチング回路３１を備える。また、親機２には、テレビインターホンを構成するため、映像信号処理部２６、表示部２７を備える。
【００３７】
このような構成によれば、信号周期検出回路部１５ａにより周波数の相違する表示駆動信号を検出すると、利得切換回路部１５ｂを制御し、スピーカアンプＡ２の利得を大きくする。これとともに、カメラ駆動回路部１５ｃに対して音声信号利得切換信号を受け付けたことを通知し、スイッチング回路３１を開制御させ、カメラ３０の駆動を停止させる。
【００３８】
信号周期検出回路部１５ａは、表示駆動信号の受け付け時から所定時間内におけるサンプリング動作などで周波数を判別するが、所定時間のサンプリング動作により周波数の相違を検出するので、ノイズなどの影響を受けても検出精度の低下を防止できる。
【００３９】
サンプリング動作では、その時間内の表示駆動信号のパルス数（オンあるいはオフの回数）をカウントして平均周期を求めるなどの方法が採用でき、したがって、周期の検出にコンパレータなどの簡易な回路構成で対応できる。
【００４０】
表示駆動信号のパルス数をカウントして、その平均周期が通常の表示駆動信号と相違する場合には音声信号利得切換信号と判断し、利得切換動作を行ってから所定時間内、たとえば、親機２側で警報音の復旧操作があり警報音の復帰信号を受け付けるまでは、周波数の判別動作を停止するとともに、スピーカアンプの利得を切り換えたままの状態に保持することもでき、そのような場合、スピーカアンプの利得を所定時間の間切り換えている間は、信号周期検出回路部１５ａの処理負担の軽減ができるだけでなく、表示駆動信号がノイズなどの影響を受けて信号波形が乱れても、利得が誤って切換えられることを防止できる。
【図面の簡単な説明】
【００４１】
【図１】本発明のインターホンシステムの基本構成の一例を示すブロック図
【図２】本発明システムの基本動作の一例を示すフローチャート
【図３】音声信号利得切換信号を含ませた表示駆動信号の信号フォーマットの一例を示す図
【図４】音声信号利得切換信号を含ませた表示駆動信号の信号フォーマットの他例を示す図
【図５】本発明をテレビインターホンシステムに適用した場合のシステムの基本構成を示したブロック図
【図６】本発明をテレビインターホンシステムに適用した場合のシステムの他の基本構成を示したブロック図
【図７】信号線上を伝送される信号伝送フォーマットの周波数構成を示す図
【図８】従来のインターホンシステムの構成を示すブロック図
【符号の説明】
【００４２】
１  ドアホン子器
２  インターホン親機
Ａ２  スピーカアンプ
１５  音声信号利得切換手段
２４  表示駆動信号送出手段
Ｃ１  信号線
Ｃ２  表示駆動信号線
【図１】
2006237885.tif 000003
【図２】
2006237885.tif 000004
【図３】
2006237885.tif 000005
【図４】
2006237885.tif 000006
【図５】
2006237885.tif 000007
【図６】
2006237885.tif 000008
【図７】
2006237885.tif 000009
【図８】
2006237885.tif 000010